(57)【要約】【課題】  本体部の肌側表面に隆起部が設けられ、この隆起部が身体の形状に倣うように変形して密着しやすい生理用ナプキンを提供する。【解決手段】  生理用ナプキン１は、液吸収層２２を有する本体部２と、本体部２の肌側表面に位置する隆起部３を有している。隆起部３には縦方向に弾性収縮力が作用している。隆起部３は、会陰部対向基準線Ｘ２の付近に剛性付与部材３４を有しており、剛性付与部材３４が他の部分にくらべて圧縮方向の剛性が高くなっている。身体６０の体圧が剛性付与部材３４に作用したときに、剛性付与部材３４を有する部分が会陰部６３に密着しやすい。剛性付与部材３４の前後の隆起部３には張力が作用し、この張力により隆起部３が身体に密着できるようになる。【選択図】図７
2006326092.tif 000002
【特許請求の範囲】
【請求項１】
液を吸収保持する液吸収層を有する本体部と、前記本体部の肌側表面に設けられた隆起部とを有する生理用ナプキンにおいて、
前記隆起部には、この隆起部の本体部方向への圧縮変形に抵抗を与える抵抗付与手段が設けられており、
前記隆起部の、前記抵抗付与手段が設けられていない領域が縦方向へ伸縮可能であるとともに、前記領域に縦方向への弾性収縮力が与えられていることを特徴とする生理用ナプキン。
【請求項２】
前記本体部は、隆起部に与えられる前記弾性収縮力によって、縦方向に向けて湾曲可能であり、この湾曲方向への曲げ剛性は、前記抵抗付与手段が設けられている領域が、それ以外の領域よりも高い請求項１記載の生理用ナプキン。
【請求項３】
前記抵抗付与手段は、膣口対向基準位置よりも後方に位置しており、隆起部には、前記抵抗付与手段よりも前方の領域および後方の領域の双方に、前記弾性収縮力が与えられている請求項１または２記載の生理用ナプキン。
【請求項４】
前記抵抗付与手段として、隆起部の立ち上がり壁の一部に剛性付与部材が設けられている請求項１ないし３のいずれかに記載の生理用ナプキン。
【請求項５】
前記抵抗付与手段として、前記隆起部と前記本体部との境界部に剛性付与部材が設けられている請求項１ないし３のいずれかに記載の生理用ナプキン。
【請求項６】
前記本体部の肌側には、縦方向中心線に沿って隆起部形成部材が設けられており、この隆起部形成部材の一部が前記剛性付与部材の上に位置している請求項５記載の生理用ナプキン。
【請求項７】
前記抵抗付与手段として、前記本体部に部分的な凸部が形成されている請求項１ないし３のいずれかに記載の生理用ナプキン。
【請求項８】
前記凸部は、液吸収層の目付けを部分的に増大することで形成されている請求項７記載の生理用ナプキン。
【請求項９】
前記隆起部には、前記凸部を覆い且つ縦方向に弾性収縮力が与えられた被覆シートが設けられており、前記凸部と前記被覆シートとが接合され、凸部以外の部分で被覆シートと本体部とが接合されていない領域を有する請求項８記載の生理用ナプキン。
【請求項１０】
前記凸部は、前後に間隔を空けて複数箇所に設けられている請求項７ないし９のいずれかに記載の生理用ナプキン。
【発明の詳細な説明】
【技術分野】
【０００１】
本発明は、本体部の肌側表面に隆起部が設けられた生理用ナプキンに係り、隆起部が身体の股間部の形状に対応して変形し、隆起部が身体に密着しやすく、経血の洩れを防止する効果を発揮しやすい生理用ナプキンに関する。
【背景技術】
【０００２】
生理用ナプキンには、液吸収層を有する本体部と、本体部の肌側表面に隆起する隆起部とが設けられたものが存在している。
【０００３】
以下の特許文献１に記載の生理用ナプキンは、吸収層とこの吸収層の肌側表面を覆う表面シートを有している。生理用ナプキンの肌側表面には、表面シートと吸収層とを圧縮した凹部と、この凹部に囲まれた縦方向に長い囲み領域が形成されている。そして前記囲み領域内が、その外側よりも嵩高に隆起している。
【０００４】
以下の特許文献２に記載の生理用ナプキンは、液吸収層が下部コアと上部コアとに分離されており、下部コアが不透液性の下部シートと一体化されている。下部コアの肌側には、液透過性の上部シートが設けられ、この上部シートは前端部と後端部が前記下部コアに固定されているとともに、縦方向に弾性収縮力を発揮する弾性伸縮部材が上部シートに固定されている。上部コアは、上部シートに固定されて、前記弾性収縮力により、上部シートと共に下部コアから浮き上がる状態となることが可能である。
【０００５】
特許文献２に記載のものは、下部シートの外面が下着のクロッチ部の内面に装着された状態で、上部コアが身体の外陰部に対向する。上部コアが下部コアと独立して挙動できるため、上部コアが外陰部に密着した状態を維持でき、経血が上部コアに吸収されることでナプキン外への経血の洩れを防止しやすいというものである。
【特許文献１】特開平１１−３３０５４号公報
【特許文献２】特開２０００−８３９９３号公報
【発明の開示】
【発明が解決しようとする課題】
【０００６】
特許文献１に記載の生理用ナプキンは、凹部で囲まれた囲み領域が嵩高になっているが、この囲み領域は、生理用ナプキンの前後方向に長く形成されている。この囲み領域内では、体圧が与えられたときの表面の変形特性および圧縮特性がほぼ均一であるため、女性の股間部の凹凸形状、すなわち大陰唇を有する膣口、後陰唇交連、その後方の会陰部、肛門、臀裂部に向けての凹凸の変化に追従しにくい。さらに前記囲み領域内は吸収層のみで嵩高状態を保っているため、体圧により湿潤状態の吸収層が圧縮されたときに、囲み領域内の各部分において圧縮回復力が劣り、その結果、股間部のいずれかの箇所と生理用ナプキンとの間に隙間が生じるおそれがある。
【０００７】
特許文献２に記載の生理用ナプキンは、上部コアが膣口に密着しやすくなるというものであるが、上部コアよりも前方および後方領域では、上部シートと下部コアとの間が空洞であるため、上部コアが体圧により押し下げられて上部コアと下部コアとが密着したときに、その前方と後方に位置する上部シートと身体との密着度が低下しやすい。特に、上部コアが当接する領域よりも後方に位置する前記会陰部や肛門と上部シートとの密着度が低下しやすくなる。
【０００８】
例えば生理用ナプキンと会陰部や肛門との密着度が低下すると、就寝時の姿勢や椅子に着座した姿勢のときに、経血が膣口から後方へ移行しようとしたときにこれを阻止することができず、経血の後方への洩れの原因となる。
【０００９】
本発明は、前記従来の課題を解決するものであり、隆起部が身体の浅い凹部や深い溝などに追従して変形しやすく、隆起部と股間部との密着度を高めることができ、後方への経血の洩れなどを防止しやすい生理用ナプキンを提供することを目的としている。
【課題を解決するための手段】
【００１０】
本発明は、液を吸収保持する液吸収層を有する本体部と、前記本体部の肌側表面に設けられた隆起部とを有する生理用ナプキンにおいて、
前記隆起部には、この隆起部の本体部方向への圧縮変形に抵抗を与える抵抗付与手段が設けられており、
前記隆起部の、前記抵抗付与手段が設けられていない領域が縦方向へ伸縮可能であるとともに、前記領域に縦方向への弾性収縮力が与えられていることを特徴とするものである。
【００１１】
本発明の生理用ナプキンは、隆起部に抵抗付与手段が設けられて隆起部の本体部方向への圧縮抵抗が他の領域よりも高くなっている。体圧が作用すると抵抗付与手段を有する部分が身体に密着するとともに、それ以外の領域では、隆起部が伸縮して身体の形状に沿うように変形し、隆起部が身体に密着した状態を維持しやすくなる。
【００１２】
本発明では、前記本体部は、隆起部に与えられる前記弾性収縮力によって、縦方向に向けて湾曲可能であり、この湾曲方向への曲げ剛性は、前記抵抗付与手段が設けられている領域が、それ以外の領域よりも高く設定される。
【００１３】
抵抗付与手段を有する部分でナプキンの曲げ剛性が高いため、ナプキンは抵抗付与手段を有する部分が支点となって、それ以外の部分が身体に沿って湾曲しやすくなる。
【００１４】
本発明では、前記抵抗付与手段は、膣口対向基準位置よりも後方に位置しており、隆起部には、前記抵抗付与手段よりも前方の領域および後方の領域の双方に、前記弾性収縮力が与えられていることが好ましい。
【００１５】
上記構成では、抵抗付与手段を有する部分で、隆起部が後陰唇交連、会陰部、肛門の少なくとも一部に密着でき、その前後に位置する隆起部が膣口および臀裂部に密着できるようになって、隆起部が身体の凹凸形状に沿って変形しやすくなる。
【００１６】
例えば本発明は、前記抵抗付与手段として、隆起部の立ち上がり壁の一部に剛性付与部材が設けられているものである。
【００１７】
または本発明は、前記抵抗付与手段として、前記隆起部と前記本体部との境界部に剛性付与部材が設けられているものである。この場合、前記本体部の肌側には、縦方向中心線に沿って隆起部形成部材が設けられており、この隆起部形成部材の一部が前記剛性付与部材の上に位置しているものとして構成される。
【００１８】
または本発明は、前記抵抗付与手段として、前記本体部に部分的な凸部が形成されているものである。この場合、前記凸部は、液吸収層の目付けを部分的に増大することで形成されている。
【００１９】
上記において、本発明は、前記隆起部には、前記凸部を覆い且つ縦方向に弾性収縮力が与えられた被覆シートが設けられており、前記凸部と前記被覆シートとが接合され、その前後などにおいて、被覆シートと本体部とが接合されていないことが好ましい。
【００２０】
被覆シートが凸部に接合されていると、凸部以外の領域に位置する被覆シートが個別に柔軟に変形して身体に密着できるようになる。
【００２１】
さらに、本発明は、前記凸部は、前後に間隔を空けて複数箇所に設けられているものとすることが可能である。
【発明の効果】
【００２２】
本発明は、隆起部の一部が身体に密着しやすく、さらにその前後の領域においても、隆起部が身体の凹凸形状に追従して変形しやすくなる。その結果、膣口から臀裂部にかけて、生理用ナプキンと身体との間に隙間が形成されにくくなり、例えば就寝姿勢や着座姿勢で、経血の後方への洩れを防止しやすい。
【発明を実施するための最良の形態】
【００２３】
図１は本発明の第１の実施の形態の生理用ナプキンを示すものであり、外力が作用していない自由状態を示す斜視図である。図２は、前記生理用ナプキンを平坦な状態に展開した状態を肌側表面から見た平面図である。図３は図１のＩＩＩ−ＩＩＩ線の断面図、図４は図１のＩＶ−ＩＶ線の断面図、図５は図１のＶ−Ｖ線の断面図である。図６は外力が作用していない自由状態の生理用ナプキンを示す縦断面図、図７は生理用ナプキンが身体に装着されて、肌側表面に体圧が作用した変形状態を模式的に示す縦断面図である。
【００２４】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００２５】
本実施の形態の生理用ナプキンは、主に液吸収層と裏面シートとで構成される部分を本体部と呼び、本体部の肌側表面に隆起している部分を隆起部と呼ぶ。また表面シート（被覆シート）は、その全てが本体部を構成する場合もあるし、その一部が本体部を構成し他の一部が隆起部の構成要素となることもある。
【００２６】
図１および図２に示すように、第１の実施の形態の生理用ナプキン１は、本体部２と、本体部２の肌側表面に位置する隆起部３を有している。
【００２７】
図３ないし図５に示すように、前記本体部２は、着衣側表面に位置する液遮断性の裏面シート２１と、その上に設置された液吸収層２２と、前記液吸収層２２を覆う液透過性の表面シート２３および、肌側表面の左右両側部に位置する側部シート２４，２４とを有している。これら各部材はホットメルト型接着剤により互いに接着されている。
【００２８】
図２に示すように、本体部２は、曲線形状の前縁部４と同じく曲線形状の後縁部５を有している。本体部２は、縦方向中心線Ｏｙでの長さ寸法が２８０〜４５０ｍｍの縦長形状である。前記液吸収層２２も縦長形状であり、この液吸収層２２は、前記前縁部４よりもやや後方に位置する曲線形状の前端部２２ａおよび、前記後縁部５よりもやや前方に位置する曲線形状の後端部２２ｂを有している。液吸収層２２の左右両側端部２２ｃ，２２ｃは、縦方向中心線Ｏｙと平行な直線形状である。ただし、液吸収層２２の左右両側端部２２ｃ，２２ｃの形状は前記実施の形態に限られるものではない。
【００２９】
本体部２の両側部の形状は、前方において、前記液吸収層２２の両側端部２２ｃ，２２ｃよりも左右両側に突出した前方フラップ部６，６と、前記前方フラップ部６，６よりも後方において左右両側に突出した折り返しフラップ部７，７と、前記折り返しフラップ部７，７よりもさらに後方において、左右両側に突出した後方フラップ部８，８とを有している。前方フラップ部６，６と折り返しフラップ部７，７および後方フラップ部８，８では、裏面シート２１と側部シート２４とが重ねられてホットメルト型接着剤により互いに接着されている。
【００３０】
横方向の両側に位置する前記側部シート２４，２４の対向縁部２４ａ，２４ａは、前記液吸収層２２の両側端部２２ｃ，２２ｃよりも内側（縦方向中心線Ｏｙに近い側）に位置している。図３ないし図５に示すように、液吸収層２２の両側部分は、その肌側表面が前記表面シート２３で覆われ、さらにその表面が前記側部シート２４，２４で覆われている。前記側部シート２４，２４の対向縁部２４ａと対向縁部２４ａとで挟まれた領域には、液透過性の前記表面シート２３が現れており、この領域で且つ液吸収層２２が設けられている部分が主な液吸収領域となっている。
【００３１】
図１と図２に示すＸ１は、膣対向基準線であり、図３は生理用ナプキン１を膣対向基準線Ｘ１で切断した断面図である。膣対向基準線Ｘ１は、本体部２の前縁部４から後方へ１００〜２００ｍｍの範囲で、好ましくは前縁部４から後方へ１００〜１４０ｍｍの範囲に位置しており、例えば前記前縁部４から後方へ約１２０ｍｍ離れて位置している。
【００３２】
膣対向基準線Ｘ１と縦方向中心線Ｏｙとの交点が、膣口対向基準位置である。膣口対向基準位置とは、この生理用ナプキン１を下着に固着させて股間部に装着するときに、ほぼ膣の中心に一致させる目安となる位置を意味している。この目安は、生理用ナプキンを肌側表面から見たときの全体形状や、肌側表面に形成されている圧縮線４１の形状などの全体のデザインによって誘導するものである。この実施の形態のように左右両側に突出する折り返しフラップ部７，７が存在しているときには、通常はこの折り返しフラップ部７，７の縦方向寸法の中心を通る膣対向基準線Ｘ１が膣口の中心部に対向させる目安となる。また圧縮線４１の横方向での間隔が、膣対向基準線Ｘ１の位置で狭められており、この圧縮線４１の形状も前記目安となる。
【００３３】
図１と図２に示すＸ３は、肛門対向基準線であり、図５は生理用ナプキン１を肛門対向基準線Ｘ３で切断した断面図である。前記膣対向基準線Ｘ１を膣口の中心位置またはその付近に一致させたときに、前記肛門対向基準線Ｘ３またはその近傍が肛門に対向する。この肛門対向基準線Ｘ３は、着用者の身体によって相違するが、通常は前記膣対向基準線Ｘ１から後方へ距離Ｌ１＝３０〜７０ｍｍだけ離れた位置にある。
【００３４】
膣対向基準線Ｘ１と肛門対向基準線Ｘ３との間に位置するのが会陰部対向基準線Ｘ２である。図４は生理用ナプキン１を会陰部対向基準線Ｘ２で切断した断面図である。膣対向基準線Ｘ１を膣口の中心位置またはその付近に一致させたときに、会陰部対向基準線Ｘ２は、後陰唇交連と肛門との間に位置する会陰部に対向しまたはその付近に対向する。
【００３５】
生理用ナプキン１は、前記肛門対向基準線Ｘ３よりも後方部分が臀裂部から尾てい骨付近に対向する。
【００３６】
図３ないし図５に示すように、隆起部３には、隆起部形成部材として、隆起部表面シート３１とその内側に位置する内装シート３２と、縦方向へ弾性収縮力を発揮する複数の弾性部材３３とを有している。
【００３７】
内装シート３２は、１枚の親水性で且つ透液性のシートであり、縦方向中心線Ｏｙを挟んだ左右両側部分がそれぞれ２つ折りされており、２つ折りされた内装シート３２の間に左右同数の弾性部材３３が挟まれ、折り畳まれた内装シート３２どうし、および内装シート３２と弾性部材３３とが、液の透過を妨げない量で塗工されたホットメルト型接着剤により互いに接着されている。前記弾性部材３３は縦方向へ１．２倍以上に引き伸ばされた状態で前記内装シート３２に接着されており、この弾性部材３３によって隆起部３に対し縦方向への弾性収縮力が与えられている。
【００３８】
内装シート３２の左右それぞれの折り線部３２ａ，３２ａは、本体部２の肌側表面から離れた位置において、縦方向中心線Ｏｙを挟んで対向している。隆起部表面シート３１は、内装シート３２を包むようにして設けられ、内装シート３２の外面と隆起部表面シート３１の内面とが、液の透過を妨げない量で塗工されたホットメルト型接着剤で接着されている。前記折り線部３２ａと折り線部３２ａとの間は、隆起部表面シート３１で繋がれた状態となっている。
【００３９】
図４に示すように、会陰部対向基準線Ｘ２が通過している領域では、隆起部３の内部に剛性付与部材３４が設けられている。この剛性付与部材３４は、前記内装シート３２の外面と隆起部表面シート３１の内面との間に挟まれ、剛性付与部材３４と内装シート３２との間、および剛性付与部材３４と隆起部表面シート３１との間は、液の透過を妨げない量で塗工されたホットメルト型接着剤で接着固定されている。剛性付与部材３４の両縁部３４ａ，３４ａは、前記内装シート３２の折り線部３２ａ，３２ａとほぼ一致しており、剛性付与部材３４の底部３４ｂは、本体部２を構成する表面シート２３と、前記内装シート３２との間に挟まれている。
【００４０】
図２に示すように、前記剛性付与部材３４は、膣対向基準線Ｘ１が通過する膣口対向基準位置には存在しておらず、それよりも後方で且つ肛門対向基準線Ｘ３よりも前方の範囲に設けられている。ただし、肛門対向基準線Ｘ３が通過している領域に、前記剛性付与部材３４が設けられていてもよい。剛性付与部材３４の前端と膣対向基準線Ｘ１との距離Ｌａは、例えば２０〜４０ｍｍであり、剛性付与部材３４の長さＬｂは例えば２０〜５０ｍｍ程度である。
【００４１】
図３に示すように、膣対向基準線Ｘ１またはその近傍から前縁部４までの前部領域では、内装シート３２と本体部２の表面シート２３とが、液の透過を妨げない量で塗工されたホットメルト型接着剤３５で接合固定されている。前記前部領域では、内装シート３２と本体部２との固定幅寸法Ｗ１が広く設定されている。そのため、本体部２の肌側表面において、隆起部３がほぼ平坦に折り畳まれた状態となっている。図２に示す後方立ち上がり基準線Ｘ４から後縁部５までの後部領域においても、隆起部３を形成する内装シート３２と本体部２との固定幅寸法Ｗ１が広く設定されている。前記前部領域および後部領域では、隆起部３がほぼ平坦であるが、隆起部３の内部で内装シート３２どうしが接着されておらず、隆起部３の内部が空洞であってもよいし、あるいは隆起部３の内部において内装シート３２どうしが折り畳まれた状態で接着されていてもよい。平坦な状態の隆起部３の幅寸法Ｗａは、１５〜４０ｍｍ程度であり、例えば２６ｍｍである。
【００４２】
図４および図５に示すように、膣対向基準線Ｘ１と後方立ち上がり基準線Ｘ４との間で、隆起部３と本体部２が、液の透過を妨げない量で塗工されたホットメルト型接着剤３５で接合固定されているが、その固定幅寸法Ｗ２は、前記前部領域と後部領域での固定幅寸法Ｗ１よりも短く設定されている。固定幅寸法Ｗ２は、固定幅寸法Ｗ１の１／３〜２／３であり、例えば固定幅寸法Ｗ１が２０ｍｍで、固定幅寸法Ｗ２が１０ｍｍである。
【００４３】
隆起部３は、剛性付与部材３４が設けられている部分では、剛性付与部材３４と、本体部２の表面シート２３とがホットメルト型接着剤３５によって接合固定されているが、それよりも前後においては、内装シート３２と、本体部２の表面シート２３とがホットメルト型接着剤３５で接着固定されている。
【００４４】
前記弾性部材３３は、少なくとも膣対向基準線Ｘ１と後方立ち上がり基準線Ｘ４との間に連続して設けられている。この弾性部材３３の縦方向での弾性収縮力により、本体部２には、膣対向基準線Ｘ１と後方立ち上がり基準線Ｘ４とを互いに接近させようとする力が作用している。よって、生理用ナプキン１に外力が作用していないときに、膣対向基準線Ｘ１と後方立ち上がり基準線Ｘ４との間で、本体部２は肌側表面が窪むように縦方向に向けて湾曲し、その結果、隆起部３の頂部が本体部２の肌側表面から離れて、隆起部３が本体部２の肌側表面から立ち上がる。また、前記膣対向基準線Ｘ１またはその近傍が、隆起部３の立ち上がり前端となり、後方立ち上がり基準線Ｘ４またはその近傍が、隆起部３の立ち上がり後端となる。
【００４５】
図１と図２に示すように、生理用ナプキン１の肌側表面には、前記表面シート２３と液吸収層２２を一緒に圧縮して加熱した圧縮線４１が形成されている。生理用ナプキン１の前方および後方において、圧縮線４１の前端４１ａと後端４１ｂが、隆起部３を横断しており、この横断部分では、隆起部３を構成する内装シート３２および隆起部表面シート３１が、本体部２の表面シート２３および液吸収層２２と一緒に加圧されている。
【００４６】
前記圧縮線４１は、液吸収層２２を有する縦長の領域を囲むように形成されている。この圧縮線４１を設けることによって、本体部２の剛性が高まり、膣対向基準線Ｘ１と後方立ち上がり基準線Ｘ４との間に前記弾性部材３３の弾性収縮力が作用したときに、本体部２に折れが発生しにくく、本体部２が、縦方向に均一な曲率を有して湾曲できるようになる。
【００４７】
図３ないし図５に示すように、本体部２では、前記裏面シート２１の着衣側表面に、下着に固着させるための感圧接着剤層１１が設けられている。前記感圧接着剤層１１は、縦方向中心線Ｏｙの左右両側において前記縦方向中心線Ｏｙと並行に帯状に設けられている。図３に示すように、前記折り返しフラップ部７，７が形成されている領域には、前記裏面シート２１の着衣側表面にフラップ用感圧接着剤層１２が設けられている。
【００４８】
第１の実施の形態の前記生理用ナプキン１の構成素材の好ましい例を説明する。
本体部２を構成する裏面シート２１は、坪量が２３ｇ／ｍ２のポリエチレンフィルムである。液吸収層２２は、針葉樹クラフトパルプと高吸水性ポリマーとが混合されて、親水性のティッシュペーパで包まれたものであり、高吸水性ポリマーは、液吸収層２２の質量の３％程度含まれている。液吸収層２２の目付けは、全体として均一なものであってもよいが、圧縮線４１で囲まれた領域が、圧縮線４１よりも外の領域よりも目付けが多く、または、圧縮線４１で囲まれた領域で且つ肛門対向基準線Ｘ３よりも前方の領域が、他の領域よりも目付けが多くなっている。例えば圧縮線４１で囲まれた領域で且つ肛門対向基準線Ｘ３よりも前方の領域の目付けが８００ｇ／ｍ２であり、他の領域の目付けが４５０ｇ／ｍ２である。
【００４９】
本体部２の表面シート２３は、親水性で且つ液透過性の不織布あるいは多数の液透過孔が形成された樹脂フィルムである。例えば表面シート２３は、合成樹脂繊維を熱風で接合したスルーエア不織布であり、芯部がポリエステル樹脂で鞘部がポリエチレン樹脂で、繊度が２．２ｄｔｅｘの芯鞘型複合合成繊維で形成されている。表面シート２３の目付けは２０ｇ／ｍ２程度である。側部シート２４は、芯部がポリプロピレン樹脂で鞘部がポリエチレン樹脂の芯鞘型の複合合成繊維で形成されたスパンボンド不織布であり、例えば目付けが２２ｇ／ｍ２である。
【００５０】
隆起部形成部材は、隆起部表面シート３１と内装シート３２が共に親水性で液透過性の不織布であり、さらに縦方向に伸縮性を有している。例えば、両シートが、前記表面シート２３と同じスルーエア不織布で形成される。それぞれの弾性部材３３は、繊度が９４０ｄｔｅｘ程度のポリウレタン弾性糸であり、このポリウレタン弾性糸が自由長から１．４倍伸ばされた状態で内装シート３２に固定される。
【００５１】
図９は、隆起部３の一部を構成する剛性付与部材３４を示している。剛性付与部材３４は、図８（Ａ）（Ｂ）に示す剛性シート５０を折り曲げて形成したものであり、本体部２から離れた位置で縦方向中心線Ｏｙにおいて対向する前記縁部３４ａ，３４ａ、本体部２に接合固定される底部３４ｂ、および底部３４ｂから立ち上がる下部立ち上がり壁３４ｃ，３４ｃと、上部立ち上がり壁３４ｄ，３４ｄを有している。
【００５２】
剛性付与部材３４を構成する剛性シート５０は、曲げ剛性が、隆起部表面シート３１と内装シート３２を重ねたものよりも高いものであり、複数のシートが重ねられ接合されて構成されている。図８（Ｂ）に示すように、剛性シート５０の第１層５１は親水性のエアーレイド不織布であり、パルプ繊維７０質量％と合成樹脂繊維４０質量％とをエアーレイド法で積層し、さらに平面状に圧縮し、アクリル系のバインダーで繊維間を接合したものである。あるいはパルプ繊維１００％で前記と同様にして形成されたエアーレイドパルプであってもよい。目付けは４０ｇ／ｍ２程度である。第２層５２は親水性の不織布であり、芯部がポリプロピレン樹脂で鞘部がポリエチレン樹脂の芯鞘型複合合成繊維で形成されたスルーエア不織布であり、例えば繊維の繊度は４．４ｄｔｅｘで、目付けは２５ｇ／ｍ２程度である。第２層５２を形成する繊維の繊度は隆起部表面シート３１および内装シート３２を構成する繊維の繊度よりも大きく、その結果、第２層５２は、隆起部表面シート３１や内装シート３２よりも曲げ剛性が高くなっている。
【００５３】
前記第１層５１と第２層５２がホットメルト型接着剤で接着された後に、両層が部分的に圧縮されて、第１層５１から第２層５２に向けて窪む圧縮線５３が形成され、圧縮線５３と非圧縮部とが交互に位置するものとなる。そして、前記圧縮線５３を横断する折れ線５４によって、第２層５２が内側に向くように折られて、図９に示す剛性付与部材３４が形成されている。なお、前記圧縮線５３の代わりにドット状の圧縮部を形成してもよい。
【００５４】
図６は、生理用ナプキン１を縦方向中心線Ｏｙにおいて切断した縦断面図を示している。膣対向基準線Ｘ１付近と後方立ち上がり基準線Ｘ４付近との間に、弾性部材３３の弾性収縮力が作用し、外力が作用しない状態において、本体部２が肌側表面が窪むように湾曲し、膣対向基準線Ｘ１付近と後方立ち上がり基準線Ｘ４付近との間で、隆起部３が本体部２の肌側表面から立ち上がる。立ち上がっている隆起部３の内部は空洞である。
【００５５】
会陰部対向基準線Ｘ２が通過する部分には、抵抗付与手段となる剛性付与部材３４が存在している。剛性付与部材３４の縦方向の中点において隆起部３を本体部２に向けて所定寸法だけ押圧するのに要する力をＦａ、剛性付与部材３４の前端から膣対向基準線Ｘ１までの間の中点において、隆起部３を本体部２に向けて所定寸法だけ押圧する力をＦｂ、剛性付与部材３４の後端から後方立ち上がり基準線Ｘ４までの間の中点において、隆起部３を本体部２に向けて所定寸法だけ押圧する力をＦｃとしたときに、ＦａはＦｂとＦｃよりも大きく、ＦａはＦｂとＦｃの１．２倍以上であり、好ましくは１．５倍以上である。またＦａ＞Ｆｂ＞Ｆｃである。
【００５６】
前記Ｆａは、本体部２の肌側表面からの隆起部３の立ち上がり高さを無加圧時から８０％の高さとなるように圧縮（２０％圧縮）するときの荷重が０．２〜４．０Ｎの範囲であることが好ましい。この測定は、図６に示す生理用ナプキン１の裏面シート２１を、曲率半径が１１０ｍｍの円筒内面を有する測定冶具の前記円筒内面に接着し、生理用ナプキン１の裏面シート２１を半径１１０ｍｍで湾曲させる。この状態で、テンシロン試験機の測定端子の半径が３０ｍｍの円形の平面を隆起部３の頂部に当て、測定端子によって隆起部３の頂部を前記円筒内面の半径方向へ押し、隆起部３の立ち上がり高さ寸法が８０％となったときの荷重である。
【００５７】
隆起部３を形成している隆起部形成部材は、縦方向に沿って伸縮可能であり、且つ縦方向への弾性収縮力が与えられている。隆起部表面シート３１、内装シート３２および弾性部材３３から成る隆起部形成部材を、幅寸法が２５ｍｍ、縦方向の長さ寸法が７５ｍｍとなるように切断した試料を形成する。この試料を縦方向に５０ｍｍとなるようにチャック間で保持し、隆起部形成部材を１０ｍｍ（伸び率１．２倍）引っ張ったときの荷重は、０．１〜４．０Ｎの範囲であることが好ましい。また前記引っ張り力を除去した後の、５０ｍｍの測定長さの残留歪が５％以下であることが好ましい。
【００５８】
隆起部３を２０％収縮させるように押圧したときの測定荷重Ｆａが０．２〜４．０Ｎの範囲であると、身体から剛性付与部材３４に圧力が作用したときに、剛性付与部材３４が立体形状を保つことができ、また剛性付与部材３４が身体に与える圧力が違和感を生じにくい。隆起部形成部材を縦方向へ１．２倍伸ばしたときの荷重が０．１〜４．０Ｎ／２５ｍｍの範囲で且つ残留歪が５％以下であると、剛性付与部材３４が設けられていない領域において、隆起部３が縦方向へ適度に伸縮し、隆起部３が身体の凹凸に沿うように変形し且つ密着しやすい。身体からの圧力の増減に対応して隆起部３が伸縮でき、常に隆起部と身体とが密着しやすくなる。
【００５９】
図７は、前記生理用ナプキン１が女性の身体６０の股間部に装着された状態を、縦方向中心線Ｏｙで切断して示している。図７では、女性の身体６０における、大陰唇を有する膣口６１、その後部の後陰唇交連６２、会陰部６３、肛門６４の該当位置を示している。
【００６０】
隆起部３は、図４に示す剛性付与部材３４が設けられている部分が、会陰部６３およびその周辺での身体の窪み部分に当接する。図３に示すように隆起部３が平坦となっている部分が膣口６１に当接し、さらに隆起部３は、図５に示すように、剛性付与部材３４が設けられておらず且つ本体部２から立ち上がっている部分が、肛門６４に当接し、さらに肛門６４よりも後方の臀裂部に対向する。
【００６１】
会陰部６３に対向する部分では、剛性付与部材３４の下部立ち上がり壁３４ｃおよび上部立ち上がり壁３４ｄによって隆起部３の立ち上がり壁が補強されている。そのため、身体からの力Ｆ１を受けても容易に潰れることがなく、剛性付与部材３４を有する部分で、隆起部３が会陰部６３の窪みに当接した状態を維持できる。剛性付与部材３４が潰れにくいために、この剛性付与部材３４よりも前方に体圧が作用すると、この体圧によって隆起部３が容易に潰れることなく、体圧によって隆起部形成部材に張力Ｆ２が作用する。隆起部形成部材が所定の張力Ｆ２を有して身体に接触するため、この部分では、隆起部形成部材が身体の凹凸形状に柔軟に追従して膣口６１に密着しやすくなる。同様に剛性付与部材３４よりも後方においても、体圧によって隆起部形成部材に張力Ｆ３が作用し、隆起部３は、肛門付近に柔軟に追従して密着できるようになる。すなわち、隆起部３は、体圧が作用したときに、剛性付与部材３４を起点として前後に張力が作用するため、剛性付与部材３４が身体に密着した状態でその前後の隆起部３が身体に密着しやすくなる。
【００６２】
また、生理用ナプキン１は、剛性付与部材３４を有する部分の曲げ剛性が、その前後よりも高いために、図７に示すように生理用ナプキン１は剛性付与部材３４を有する部分を支点として、それよりも前方部分と後方部分が身体の形状に沿うように湾曲できるようになる。そのため、生理用ナプキン１が例えば膣口対向基準位置などで不用意に折れ曲がることがなく、また全体に縒れが生じにくくなって、生理用ナプキン１の全体が身体に密着しやすくなる。
【００６３】
また、図９に示すように、剛性付与部材３４は、縦方向と直交する方向に複数の圧縮線５３を有しているため、剛性付与部材３４も、本体部２の湾曲形状に追従して前後方向へ多少圧縮されて変形するため、剛性付与部材３４が身体に過剰な違和感を与えるのを防止できるようになる。
【００６４】
生理用ナプキン１の隆起部３は、膣口６１、後陰唇交連６２、会陰部６３さらに肛門６４にかけて身体に密着するため、膣口６１からの排泄物は隆起部３で確実に捕捉されてその下の液吸収層２２に与えられるようになり、経血の横洩れや、就寝姿勢や着座姿勢のときの後方への経血の洩れを防止しやすくなる。
【００６５】
なお、前記第１の実施の形態において、隆起部３に弾性部材３３を設けず、隆起部表面シート３１と内装シート３２の少なくとも一方を、縦方向に弾性収縮性を有する不織布で形成し、この不織布の弾性収縮力によって本体部２を図６に示すように湾曲させて、隆起部３を本体部２の肌側表面から隆起させてもよい。また、図４の構成において、剛性付与部材３４が内装シート３２よりの内側に重ねられていてもよい。
【００６６】
図１０は本発明の第２の実施の形態の生理用ナプキン１０１を外力が作用していない状態で示す斜視図、図１１は、図１０のＸＩ−ＸＩ線での断面図、図１２は、図１０のＸＩＩ−ＸＩＩ線での断面図、図１３は、図１０のＸＩＩＩ−ＸＩＩＩ線での断面図である。図１４は、生理用ナプキン１０１を、外力が作用していない状態で縦方向中心線Ｏｙで切断した縦断面図である。図１５と図１６は被覆シート１２３に形成されたエンボスパターンの説明図である。なお、以下の第２の実施の形態の生理用ナプキン１０１において、第１の実施の形態の生理用ナプキン１と同じ構成部分には同じ符号を付して詳しい説明を省略する。
【００６７】
図１０には、膣対向基準線Ｘ１、会陰部対向基準線Ｘ２および肛門対向基準線Ｘ３を示している。図１１は、膣対向基準線Ｘ１での断面図、図１２は、会陰部対向基準線Ｘ２での断面図、図１３は肛門対向基準線Ｘ３での断面図である。
【００６８】
図１１ないし図１３に示すように、本体部１０２は、裏面シート２１と液吸収層２２、および裏面シート２１の着衣側表面に設けられた感圧接着剤層１１およびフラップ用感圧接着剤層１２を有している。本体部１０２の肌側表面には、縦方向中心線Ｏｙに沿って隆起部１０３が設けられている。
【００６９】
生理用ナプキン１０１には、本体部１０２および隆起部１０３の肌側表面に位置する被覆シート１２３が設けられている。この実施の形態では、被覆シート１２３が本体部１０２の一部を構成するとともに、隆起部１０３の一部を構成している。
【００７０】
被覆シート１２３は、少なくとも縦方向へ弾性伸縮力を発揮できるものとなっている。被覆シート１２３は、伸縮性繊維である倦縮繊維を構成要素とする不織布であり、例えばスルーエア不織布である。前記倦縮繊維は、融点の相違する２つの合成樹脂が複合されたサイドバイサイド型複合繊維であり、例えば融点の異なる２種のポリエチレン繊維が複合された繊度が２．２ｄｔｅｘの合成樹脂繊維である。スルーエア不織布は、前記サイドバイサイド型複合合成繊維７０質量％と、芯部がポリプロピレン樹脂で鞘部がポリエチレン樹脂の芯鞘型複合合成繊維３０質量％とを混合した後に、熱風で繊維間を融着接合したものである。このスルーエア不織布を熱処理して、前記サイドバイサイド型複合合成繊維の倦縮を進行させ、スルーエア不織布を、縦方向の長さが３０％となるように熱収縮させたものを被覆シート１２３として使用した。熱収縮後の目付けは、例えば３０ｇ／ｍ２である。
【００７１】
被覆シート１２３を幅寸法２５ｍｍで測定長を５０ｍｍとし、縦方向への１．２倍の伸び率を与えたときの好ましい荷重は、第１の実施の形態の隆起部形成部材と同じ０．１〜４．０Ｎ／２５ｍｍの範囲であり、引っ張り測定後の５０ｍｍの測定長さ当たりの残留歪の好ましい範囲は５％以下である。
【００７２】
本体部１０２が平坦な状態で、被覆シート１２３を縦方向へ１．１５倍伸ばして液吸収層２２の表面に重ね、図１０に示す圧縮線４１において、被覆シート１２３と液吸収層２２が一緒に加熱され加圧されて、被覆シート１２３と液吸収層２２とが圧縮線４１において固定されている。
【００７３】
前記圧縮線４１で囲まれている領域の外側では、被覆シート１２３が縦方向へ１．１５倍に伸ばされた状態で、図１５に示すエンボスパターン４２が形成され、個々のエンボスパターン４２の部分で被覆シート１２３を構成する繊維が加熱され加圧されて融着されている。さらに、前記圧縮線４１で囲まれている領域の外側では、被覆シート１２３と液吸収層２２とが一緒に加熱されて加圧されて、図１６に示すエンボスパターン４３が形成されている。圧縮線４１の外側では、図１５に示すエンボスパターン４２によって被覆シート１２３の弾性収縮力が制限され、さらに図１６に示すエンボスパターン４３によって、被覆シート１２３と液吸収層２２とが固定されている。
【００７４】
したがって、圧縮線４１で囲まれた領域での被覆シート１２３の弾性収縮力により、圧縮線４１の前端４１ａと圧縮線４１の後端４１ｂとを互いに接近させる力が作用する。外力を与えていないときには、図１４に示すように、前記前端４１ａと後端４１ｂとの間で、本体部１０２が、肌側表面が窪むように縦方向に向けて湾曲し、圧縮線４１で囲まれた範囲内では、被覆シート１２３が本体部１０２の肌側表面から浮き上がる。
【００７５】
図１１ないし図１３に示すように、生理用ナプキン１０１は、本体部１０２の液吸収層２２の表面と前記被覆シート１２３との間に、隆起部形成部材１３２が設けられている。隆起部形成部材１３２は、親水性で液透過機能を有しあるいは液を吸収保持する機能を有している。例えば、隆起部形成部材１３２は、針葉樹クラフトパルプが７０質量％と合成樹脂繊維３０％とで形成された目付けが６０ｇ／ｍ２のエアーレイド不織布と、繊度が１．７ｄｔｅｘのレーヨン繊維で形成された目付けが３０ｇ／ｍ２のスパンレース不織布とが積層され、液の透過を妨げない量のホットメルト型接着剤で接着され、さらに、エアーレイド不織布とスパンレース不織布とがドット状または線状のエンボスにより一体化されたものである。
【００７６】
隆起部形成部材１３２は、スパンレース不織布が外側または内側に向くようにして筒型に曲げられ、その縁部どうしが重ねられた状態で、ホットメルト型接着剤１３５によって液吸収層２２の肌側表面に接着固定されている。さらに、隆起部形成部材１３２の頂部は、幅が２〜１０ｍｍ程度で液の透過を妨げないパターンで塗工されたホットメルト型接着剤１３６によって、被覆シート１２３の着衣側表面に接着されている。
【００７７】
図１２に示すように、会陰部対向基準線Ｘ２が横断している領域では、隆起部形成部材１３２の下面と、液吸収層２２との間に、抵抗付与手段として剛性付与部材１３４が挟まれて固定されている。剛性付与部材１３４は、図８（Ａ）（Ｂ）に示したものと同様に、エアーレイド不織布とスルーエア不織布とが重ねられて接合され、直線状の圧縮線やドットエンボスにより加圧された剛性シート５０によって形成されている。図１２に示すように、剛性付与部材１３４は剛性シート５０が２枚重ねなどの複数重ねに折り畳まれたものであり、剛性付与部材１３４と隆起部形成部材１３２は、ホットメルト型接着剤１３５で接着固定され、剛性付与部材１３４と液吸収層２２とがホットメルト型接着剤１３７によって接着固定されている。
【００７８】
剛性付与部材１３４が設けられている領域の好ましい範囲は、第１の実施の形態での剛性付与部材３４と同じである。すなわち、剛性付与部材１３４は後陰唇交連よりも後方で且つ肛門にかからない位置に設けられ、あるいは後陰唇交連の後方で、会陰部から肛門に対向する範囲に設けられている。
【００７９】
隆起部形成部材１３２は縦方向中心線Ｏｙに沿って前縁部４から後縁部５にかけて設けられており、圧縮線４１の前端４１ａと後端４１ｂでは、隆起部形成部材３４と被覆シート１２３および液吸収層２２とが一緒に加圧されている。この実施の形態では、隆起部形成部材１３２と被覆シート１２３および剛性付与部材１３４によって隆起部１０３が形成されている。
【００８０】
液吸収層２２は、針葉樹クラフトパルプと高吸水性ポリマーとが混合されたものであるが、その目付けは、剛性付与部材１３４が設けられている部分の下で最も大きく例えば９００ｇ／ｍ２である。液吸収層２２の目付けは、その次に、剛性付与部材１３４の前端から圧縮線４１の前端４１ａの間で大きく、例えば７００ｇ／ｍ２である。液吸収層２２の目付けは、前記両領域以外で小さく、例えば４５０ｇ／ｍ２である。
【００８１】
この生理用ナプキン１０１は、圧縮線４１で囲まれている範囲において、被覆シート１２３が縦方向への弾性収縮力を発揮しており、圧縮線４１の前端４１ａと後端４１ｂとの間で、本体部１０２は肌側表面が凹状に湾曲変形する。隆起部形成部材１３２は縦方向へ変形可能であり、且つその上部に被覆シート１２３が接合されているため、被覆シート１２３の縦方向への弾性収縮力が隆起部形成部材１３２にも作用し、隆起部１０３が本体部１０２から立ち上がるとともに、隆起部１０３の頂部が本体部１０２の湾曲に倣って凹状に湾曲する。
【００８２】
図１１に示すように、膣対向基準線Ｘ１が通過する部分およびその周辺では、本体部１０２からの被覆シート１２３の離間距離が短いため、筒状に形成された隆起部形成部材１３２は内部が空洞のままでやや押しつぶされた状態となる。膣対向基準線Ｘ１よりも後方では、本体部１０２からの被覆シート１２３の離間距離が長くなるため、隆起部形成部材１３２は自らの弾性回復力により内部が空洞の筒状となる。
【００８３】
図１２に示すように、剛性付与部材１３４が設けられている領域では、この剛性付与部材１３４によって隆起部形成部材１３２が持ち上げられ、しかも剛性付与部材１３４の下側では液吸収層２２の目付けが他の部分よりも大きくなって隆起部形成部材１３２がさらに持ち上げられられている。また、隆起部形成部材１３２は被覆シート１２３で押し付けられるため、剛性付与部材１３４が設けられている領域では、隆起部形成部材１３２がやや潰された状態となっている。
【００８４】
剛性付与部材１３４を有する部分は、隆起部形成部材１３２が剛性付与部材１３４で持ち上げられ、さらに潰されているため、この部分では、隆起部１０３を本体部１０２に向けて８０％の高さまで圧縮するときの抵抗力が大きく、剛性付与部材１３４を有する部分で隆起部１０３が会陰部などに密着しやすくなる。剛性付与部材１３４が設けられている部分の前後では、隆起部形成部材１３２の内部が空洞で変形しやすく且つ被覆シート１２３によって縦方向への弾性収縮力が与えられているため、隆起部形成部材１３２に縦方向の張力によって、隆起部形成部材１３２が、膣口や肛門さらには臀裂部の形状に倣うようにし変形し、これら各部位に密着しやすくなる。すなわち、この実施の形態においても、剛性付与部材１３４を有する部分で、隆起部１０３が会陰部や肛門などに密着し、その前後に位置する隆起部１０３に張力が作用して、隆起部１０３が身体の凹凸形状に倣って密着しやすくなる。
【００８５】
また、生理用ナプキン１０１は剛性付与部材１３４を有する部分の曲げ剛性が、その前後よりも高いため、生理用ナプキン１０１は、剛性付与部材１３４よりも前方部分と後方部分がそれぞれ独立して湾曲しやすくなり、ナプキン全体が折れたり縒れる状態が発生しにくい。
【００８６】
また膣口から排泄された経血は、密着している隆起部１０３のエアーレイド不織布の親水力により捕捉され、隆起部１０３の内部を通過し、あるいは隆起部１０３に沿って液吸収層２２に吸収されるようになり、経血の横洩れや後方への洩れの心配を軽減できるようになる。
【００８７】
図１７は本発明の第３の実施の形態の生理用ナプキン２０１を外力が作用していない状態で示す斜視図、図１８は、図１７のＸＶＩＩＩ−ＸＶＩＩＩ線での断面図、図１９は、図１７のＸＩＸ−ＸＩＸ線での断面図、図２０は、図１７のＸＸ−ＸＸ線での断面図である。図２１は、生理用ナプキン２０１を外力が作用していない状態で縦方向中心線Ｏｙで切断した縦断面図である。なお、以下の第３の実施の形態の生理用ナプキン２０１において、第１の実施の形態の生理用ナプキン１と同じ構成部分には同じ符号を付して詳しい説明を省略する。
【００８８】
図１７には、膣対向基準線Ｘ１、会陰部対向基準線Ｘ２および肛門対向基準線Ｘ３を示している。図１８は、膣対向基準線Ｘ１での断面図、図１９は、会陰部対向基準線Ｘ２での断面図、図２０は肛門対向基準線Ｘ３での断面図である。
【００８９】
生理用ナプキン２０１は、本体部２０２および隆起部２０３を有している。本体部２０２および隆起部２０３の肌側表面には被覆シート２２３が設けられている。この実施の形態では、被覆シート２２３が本体部２０２の一部を構成するとともに隆起部２０３の一部を構成している。
【００９０】
被覆シート２２３は、縦方向に伸縮可能な不織布であり、例えば第１の実施の形態の隆起部表面シート３１と同じスルーエア不織布で形成されている。前記スルーエア不織布あるいは、他の構成の不織布、例えばスパンレース不織布などを波形状となるように賦形し、波の頂部と谷部が横方向へ平行に延びるように配置して、被覆シート２２３が縦方向へ伸縮しやすくしたものであってもよい。図１７に示すように、被覆シート２２３と液吸収層２２とが一緒に加熱され加圧されて圧縮線４１が形成されている。圧縮線４１で囲まれた領域は、膣対向基準線Ｘ１よりもさらに前方の位置から、身体の尾てい骨に対向する領域まで縦長に形成されている。
【００９１】
図１９と図２０に示すように、圧縮線４１で囲まれ且つ膣対向基準線Ｘ１よりも後方の範囲内では、被覆シート２２３の着衣側表面に内装シート２３２が重ねられて、液の透過を妨げない量のホットメルト型接着剤により接着されている。被覆シート２２３と内装シート２３２の間には、複数の弾性部材２３３が、縦方向へ１．２倍以上伸ばされた状態で挟まれており、弾性部材２３３は、被覆シート２２３と内装シート２３２の双方にホットメルト型接着剤で接着されている。例えば、弾性部材２３３は繊度が９４０ｄｔｅｘのポリウレタン弾性糸であり、縦方向へ１．４倍伸ばした状態で取付けられている。
【００９２】
図１８に示すように、膣対向基準線Ｘ１の付近およびそれよりも前方領域では、被覆シート２２３が、液の透過を妨げない量で塗工されたホットメルト型接着剤２３５を介して液吸収層２２の肌側表面に接着されている。また、後方立ち上がり基準線Ｘ４よりも後方においても、被覆シート２２３が、液吸収層２２の肌側表面に接着固定されている。
【００９３】
前記弾性部材２３３は、少なくとも膣対向基準線Ｘ１と後方立ち上がり基準線Ｘ４との間で、被覆シート２２３に縦方向への弾性収縮力を作用させている。後方立ち上がり基準線Ｘ４は、肛門の後方の臀裂部に対向し、あるいはさらにその後方の尾てい骨に対向する。その結果、外力が作用していない状態で、生理用ナプキン２０１は、膣対向基準線Ｘ１と後方立ち上がり基準線Ｘ４とが接近するように縦方向に向けて湾曲変形し、膣対向基準線Ｘ１と後方立ち上がり基準線Ｘ４との間で、且つ圧縮線４１で囲まれた範囲において、被覆シート２２３と内装シート２３２および弾性部材２３３が、液吸収層２２の肌側表面から離れるように立ち上がる。この実施の形態では、前記被覆シート２２３と内装シート２３２および弾性部材２３３によって、隆起部２０３が形成されている。
【００９４】
図１９に示すように、会陰部対向基準線Ｘ２が横断する領域では、抵抗付与手段として、本体部２０２に肌側へ突出する凸部２３４が形成されている。凸部２３４は液吸収層２２の目付けを部分的に増大させることで形成され、または凸部２３４以外の領域で液吸収層２２を厚み方向へ圧縮することで形成される。この実施の形態では、液吸収層２２は、針葉樹クラフトパルプと高吸水性ポリマーとが混合されたものであり、その目付けは、凸部２３４の部分で最も大きく例えば９００ｇ／ｍ２である。液吸収層２２の目付けは、その次に、凸部２３４の前端から圧縮線４１の前端４１ａの間で大きく、例えば７００ｇ／ｍ２である。液吸収層２２の目付けは、前記両領域以外で小さく、例えば４００ｇ／ｍ２である。そして目付けが９００ｇ／ｍ２の部分を除いて、液吸収層２２が加熱され厚み後方へ圧縮されている。
【００９５】
図１９と図２１に示すように、前記凸部２３４の肌側表面と内装シート２３２の着衣側表面とは液の透過を妨げない量で塗工されたホットメルト型接着剤２３６を介して接着固定されている。凸部２３４が設けられている領域以外で、且つ膣対向基準線Ｘ１と後方立ち上がり基準線Ｘ４との間では、液吸収層２２と内装シート２３２は固定されていない。
【００９６】
図２１に示すように、生理用ナプキン２０１が湾曲して、股間部に装着されると、図７に基づいて説明したのと同様に、抵抗付与手段である凸部２３４が設けられている部分において、隆起部２０３を本体部２０２に向けて圧縮するときの抵抗力が大きく、この部分で隆起部２０３が会陰部などに密着しやすくなる。
【００９７】
凸部２３４と内装シート２３２が接着されているため、凸部２３４よりも前方では、隆起部２０３に体圧が作用すると、この体圧によって内装シート２３２および被覆シート２２３に張力が与えられ、この張力によって被覆シート２２３が膣口などの凹凸形状の倣うように変形して密着できるようになる。凸部２３４よりも後方においても、体圧によって内装シート２３２および被覆シート２２３に張力が与えられ、この張力によって被覆シート２２３が肛門周辺や臀裂部などに沿って変形し、密着できるようになる。
【００９８】
また、生理用ナプキン２０１は凸部２３４を有する部分の曲げ剛性が、その前後よりも高いため、生理用ナプキン２０１は、凸部２３４よりも前方部分と後方部分がそれぞれ独立して湾曲しやすくなり、ナプキン全体が折れたり縒れる状態が発生しにくい。
【００９９】
また膣口から排泄された経血は、密着している隆起部２０３の被覆シート２２３および内装シート２３２の親水力により捕捉され、隆起部２０３を伝わって、あるいは隆起部２０３を透過して液吸収層２２に吸収されるようになり、経血の横洩れや後方への洩れの心配を軽減できるようになる。また経血が被覆シート２２３や液吸収層２２の表面を伝わって後方へ移行しようとしても、凸部２３４で吸収して止めることができ、これによっても後方への経血洩れを防止しやすい。
【０１００】
図２２は本発明の第４の実施の形態の生理用ナプキン３０１を示す縦断面図である。この生理用ナプキン３０１は、図２１に示す第３の実施の形態の生理用ナプキン２０１を変形させたものである。
【０１０１】
生理用ナプキン３０１の本体部３０２は、液吸収層２２に前記凸部２３４と同様の凸部３３４が形成されているとともに、それよりも前方の圧縮線４１の前端４１ａの内側にも凸部３３５が形成されている。隆起部３０３は、被覆シート２２３と内装シート２３２および弾性部材２３３とで形成されており、弾性部材２３３の弾性収縮力は、前方の凸部３３５の部分から後方立ち上がり基準線Ｘ４の位置まで作用している。そして、内装シート２３２は、それぞれの凸部３３４および３３５の肌側表面に接着固定されている。
【０１０２】
この生理用ナプキン３０１は、凸部３３４が会陰部または肛門に当接し、前方の凸部３３５は膣口よりも前方に当接する。凸部３３４と凸部３３５との中間が膣口に対向し、この部分では被覆シート２２３および内装シート２３２と、液吸収層２２との間が空洞である。よって、体圧を受けたときに、凸部３３４と凸部３３５との間において、被覆シート２２３に張力が発生し、被覆シート２２３が膣口に確実に密着できるようになる。また膣口から排泄されて凸部３３４と凸部３３５の間に与えられた経血は、凸部３３４と凸部３３５によって前後に堰き止められる。よって経血の前後への洩れを防止できるようになる。
【０１０３】
図２３は本発明の第５の実施の形態の生理用ナプキン４０１を平坦な状態とした平面図、図２４は、前記生理用ナプキン４０１に外力が作用していない湾曲状態を、縦方向中心線Ｏｙで切断した縦断面図である。図２５は、図２３に示す生理用ナプキン４０１を後方基準線Ｘ６よりも後方の位置で切断したＸＸＶ−ＸＸＶ線の断面図、図２６は、図２３に示す生理用ナプキン４０１を膣対向基準線Ｘ１の位置で切断したＸＶＩ−ＸＶＩ線の断面図である。この生理用ナプキン４０１は、図２２に示す第４の実施の形態の生理用ナプキン３０１を変形させたものである。
【０１０４】
生理用ナプキン４０１の本体部４０２の肌側表面には、図２３に示すように、肌側表面を縦方向に長い範囲で囲む圧縮線４１が形成されており、この圧縮線４１で囲まれた範囲に隆起部４０３が形成されている。
【０１０５】
前記圧縮線４１で囲まれた領域では、本体部４０２に、前後に距離を空けて後方の凸部４３４と前方の凸部４３５とが形成されている。凸部４３４と凸部４３５は、両凸部４３４と４３５との中間領域よりも、液吸収層２２の目付けが大きく形成されている。図２３に示すように、後方の隆起部４３４の前端４３４ａは、膣対向基準線Ｘ１よりも後方へ５０ｍｍ程度離れた位置にあり、隆起部４３４の後端４３４ｂは、圧縮線４１の後端４１ｂよりもやや前方に位置している。前方の凸部４３５は、その後端４３５ｂが、膣対向基準線Ｘ１よりも前方へ５０ｍｍ程度離れた位置にあり、凸部４３５の前端４３５ａは、圧縮線４１の前端４１ａよりもやや後方に位置している。後方の凸部４３４の幅寸法は前方の凸部４３５の幅寸法よりも小さく、例えば後方の凸部４３４の幅寸法が３０ｍｍで、前方の凸部４３５の幅寸法が３５ｍｍである。
【０１０６】
隆起部４０３は、被覆シート２２３と内装シート２３２および複数の弾性部材２３３で形成されている。被覆シート２２３に対して弾性部材２３３の縦方向の弾性収縮力が作用する範囲は、図２３に示す前方基準線Ｘ５と後方基準線Ｘ６との間である。図２５に示すように後方基準線Ｘ６よりも後方では、凸部４３４の表面に、内装シート２３２および被覆シート２２３が離れないように、液の透過を妨げない量のホットメルト型接着剤２３６を介して接着されており、同様に、前方基準線Ｘ５よりも前方においても、凸部４３５の表面に内装シート２３２および被覆シート２２３が離れないように接着されている。
【０１０７】
前方基準線Ｘ５と後方基準線Ｘ６との間では、内装シート２３２および被覆シート２２３が凸部４３４および凸部４３５に接合されていない。よって、弾性部材２３３の縦方向の弾性収縮力は前方基準線Ｘ５と後方基準線Ｘ６との間に作用し、本体部４０２が縦方向に向けて湾曲し、前方基準線Ｘ５と後方基準線Ｘ６との間で、被覆シート２２３および内装シート２３２が本体部４０２の肌側表面から離れるように立ち上がることができる。
【０１０８】
この生理用ナプキン４０１は、凸部４３４の前端４３４ａと凸部４３５の後端３４５ｂとの間で、隆起部４０３を構成する被覆シート２２３が膣口に当接し、後方の凸部４３４が、肛門から臀裂部にかけて対向する。体圧を受けると、凸部４３４と凸部４３５が所定の抵抗力を有して本体部４０２に向けて圧縮され、凸部４３４と凸部４３５との間で、被覆シート２２３に張力が作用する。この張力により、被覆シート２２３が膣口に密着しやすくなる。
なお、本発明は上記実施の形態に限られるものではなく種々の変形が可能である。
【０１０９】
第１の実施の形態の生理用ナプキン１の剛性付与部材３４および、第２の実施の形態の生理用ナプキン１０１の剛性付与部材１３４は、湿潤状態において弾性変形機能を有しているものであれば他の素材でもよく、例えばポリウレタンフォームやポリエチレンフォームなどの発泡樹脂シートであってもよいし、または繊度が５．５〜１１ｄｔｅｘの太めの合成樹脂繊維で形成された目付けが２０〜１００ｇ／ｍ２のスルーエア不織布のみで形成することもできる。
【０１１０】
第２の実施の形態の生理用ナプキン１０１に使用されている弾性伸縮力を発揮する被覆シート１２３は、１．１〜１１ｄｔｅｘのポリウレタン繊維を含むスパンボンド不織布またはポイントボンド不織布や、ポリウレタン樹脂で形成された多数の液透過孔を有する液透過性の樹脂フィルムであってもよい。また、第３の実施の生理用ナプキン２０１と第４の実施の形態の生理用ナプキン３０１および第５の実施の形態の生理用ナプキン４０１において、弾性部材２３３を設けず、被覆シート２２３を前記弾性伸縮力を発揮する不織布や樹脂フィルムで形成してもよい。
【０１１１】
また、第２の実施の形態の生理用ナプキン１０１の隆起部形成部材１３２を、親水処理した合成樹脂繊維で形成された、スルーエア不織布やその他の不織布で構成してもよい。
【図面の簡単な説明】
【０１１２】
【図１】本発明の第１の実施の形態の生理用ナプキンの自由状態を示す斜視図、
【図２】前記第１の実施の形態の生理用ナプキンを平面状に展開した状態を肌側表面から示す平面図、
【図３】図１のＩＩＩ−ＩＩＩ線の断面図、
【図４】図１のＩＶ−ＩＶ線の断面図、
【図５】図１のＶ−Ｖ線の断面図、
【図６】外力が作用していない状態の第１の実施の形態の生理用ナプキンの縦断面図、
【図７】第１の実施の形態の生理用ナプキンが身体に装着された状態を示す縦断面図、
【図８】（Ａ）は剛性付与部材を構成する剛性シートの平面図、（Ｂ）はその断面図、
【図９】剛性付与部材の斜視図、
【図１０】本発明の第２の実施の形態の生理用ナプキンの自由状態を示す斜視図、
【図１１】図１０のＸＩ−ＸＩ線の断面図、
【図１２】図１０のＸＩＩ−ＸＩＩ線の断面図、
【図１３】図１０のＸＩＩＩ−ＸＩＩＩ線の断面図、
【図１４】外力が作用していない状態の第２の実施の形態の生理用ナプキンの縦断面図、
【図１５】被覆シートのエンボスパターンを示す部分平面図、
【図１６】被覆シートと液吸収層を圧縮したエンボスパターンを示す部分平面図、
【図１７】本発明の第３の実施の形態の生理用ナプキンを自由状態で示す斜視図、
【図１８】図１７のＸＶＩＩＩ−ＸＶＩＩＩ線の断面図、
【図１９】図１７のＸＩＸ−ＸＩＸ線の断面図、
【図２０】図１７のＸＸ−ＸＸ線の断面図、
【図２１】外力が作用していない状態の第３の実施の形態の生理用ナプキンの縦断面図、
【図２２】第４の実施の形態を示すものであり、外力が作用していない状態の生理用ナプキンの縦断面図、
【図２３】第５の実施の形態の生理用ナプキンを平坦にした平面図、
【図２４】第５の実施の形態の生理用ナプキンに外力が作用していない状態を示す縦断面図、
【図２５】図２３のＸＸＶ−ＸＸＶ線の断面図、
【図２６】図２３のＸＶＩ−ＸＶＩ線の断面図、
【符号の説明】
【０１１３】
１  生理用ナプキン
２  本体部
３  隆起部
２１  裏面シート
２２  液吸収層
２３  表面シート
２４  側部シート
３１  隆起部表面シート
３２  内装シート
３３  弾性部材
３４  剛性付与部材
４１  圧縮線
４２，４３  エンボスパターン
５０  剛性シート
６０  身体
６１  膣口
６２  後陰唇交連
６３  会陰部
６４  肛門
１０１  生理用ナプキン
１０２  本体部
１０３  隆起部
１２３  被覆シート
１３２  隆起部形成部材
１３４  剛性付与部材
２０１  生理用ナプキン
２０２  本体部
２０３  隆起部
２２３  被覆シート
２３２  内装シート
２３３  弾性部材
２３４  凸部
３０１  生理用ナプキン
３０２  本体部
３０３  隆起部
３３４，３３５  凸部
４０１  生理用ナプキン
４０２  本体部
４０３  隆起部
４３４，４３５  凸部
Ｘ１  膣対向基準線
Ｘ２  会陰部対向基準線
Ｘ３  肛門対向基準線
【図１】
2006326092.tif 000003
【図２】
2006326092.tif 000004
【図３】
2006326092.tif 000005
【図４】
2006326092.tif 000006
【図５】
2006326092.tif 000007
【図６】
2006326092.tif 000008
【図７】
2006326092.tif 000009
【図８】
2006326092.tif 000010
【図９】
2006326092.tif 000011
【図１０】
2006326092.tif 000012
【図１１】
2006326092.tif 000013
【図１２】
2006326092.tif 000014
【図１３】
2006326092.tif 000015
【図１４】
2006326092.tif 000016
【図１５】
2006326092.tif 000017
【図１６】
2006326092.tif 000018
【図１７】
2006326092.tif 000019
【図１８】
2006326092.tif 000020
【図１９】
2006326092.tif 000021
【図２０】
2006326092.tif 000022
【図２１】
2006326092.tif 000023
【図２２】
2006326092.tif 000024
【図２３】
2006326092.tif 000025
【図２４】
2006326092.tif 000026
【図２５】
2006326092.tif 000027
【図２６】
2006326092.tif 000028